【手続補正書】
【提出日】平成17年1月19日(2005.1.19)
【手続補正１】
【補正対象書類名】明細書
【補正対象項目名】発明の名称
【補正方法】変更
【補正の内容】
【発明の名称】情報端末装置
【手続補正２】
【補正対象書類名】明細書
【補正対象項目名】特許請求の範囲
【補正方法】変更
【補正の内容】
【特許請求の範囲】
【請求項１】
以下の要素を備えることを特徴とする情報端末装置
（ａ）１つ以上の番組情報を受信する受信部、
（ｂ）上記受信部により受信された上記１つ以上の番組情報を表示する表示部、（ｃ）上記表示部により表示された上記１つ以上の番組情報から予約する番組情報を指示する操作部、
（ｄ）上記操作部により予約を指示された番組情報を含む電子メールを作成するとともに、作成した電子メールに対して電子メールの宛先情報を設定する電子メール作成部、
（ｅ）上記電子メール作成部により作成された電子メールを上記宛先情報に宛てて送信する送信部。
【請求項２】
送信者からのメッセージ情報を含む電子メールを受信する受信部と、
上記受信部により受信された上記電子メールの上記メッセージ情報に１つ以上の番組情報が含まれているか含まれていないかを解析する電子メール解析部と、
上記電子メール解析部により上記１つ以上の番組情報が含まれていると解析された場合に上記１つ以上の番組情報を記憶する番組情報格納部と
を備えることを特徴とする情報端末装置。
【請求項３】
上記電子メール解析部により上記１つ以上の番組情報が含まれていると解析された場合に上記１つ以上の番組情報から所定の番組情報の予約を指示できるように表示する表示部と、
上記表示部により表示された上記１つ以上の番組情報から予約する番組情報を指示する操作部とを備え、
上記番組情報格納部は上記操作部により予約を指示された番組情報を記憶する
ことを特徴とする請求項２記載の情報端末装置。
【請求項４】
上記電子メールは、上記電子メールの送信元を示す送信元情報を含み、
上記情報端末装置は、所定の電子メールの送信者を特定する送信者情報を記憶する送信者情報格納部を備え、
上記電子メール解析部は、上記メッセージ情報に上記１つ以上の番組情報が含まれているとともに、上記電子メールの送信元情報が上記送信者情報格納部に記憶されている送信者情報と一致する場合に、上記メッセージ情報に含まれている１つ以上の番組情報を上記番組情報格納部に記憶する
ことを特徴とする請求項２記載の情報端末装置。
【請求項５】
上記送信者情報格納部は、上記操作部からの予約の指示なしに所定の番組情報を記憶するかしないかのいずれか一方を設定する自動予約設定情報を上記送信者情報に対応させて記憶し、
上記電子メール解析部は、上記メッセージ情報に上記１つ以上の番組情報が含まれているとともに、上記電子メールの送信元情報が上記送信者情報格納部に記憶されている送信者情報と一致する場合は、上記送信者情報に対応する上記自動予約設定情報の内容に従い、上記１つ以上の番組情報を上記番組情報格納部に記憶させることと上記１つ以上の番組情報から所定の番組情報の予約を指示できるように上記表示部に表示させることとのいずれか一方を行う
ことを特徴とする請求項４記載の情報端末装置。
【請求項６】
上記番組情報格納部は、上記番組情報に対応させて上記電子メールの送信元情報を記憶し、
上記電子メール解析部は、上記１つ以上の番組情報を上記番組情報格納部に記憶する場合に、上記電子メールの送信元情報を上記１つ以上の番組情報に対応させて記憶し、
上記操作部は、上記番組情報格納部に記憶されている番組情報を送信元情報毎に表示する送信元別番組一覧作成の指示を入力し、
上記情報端末装置は、上記操作部により上記送信元別番組一覧作成の指示が入力されると、上記番組情報格納部に記憶されている番組情報と上記番組情報に対応して記憶されている送信元情報を用いて上記送信元別番組一覧を作成する番組情報解析部を備え、
上記表示部は、上記番組情報解析部により作成された上記送信元別番組一覧を表示する
ことを特徴とする請求項４記載の情報端末装置。
【請求項７】
上記送信者情報格納部は、上記送信者情報に対応させて送信者の所属するグループを示すグループ情報を記憶し、
上記操作部は、上記番組情報格納部に記憶されている番組情報を送信者の所属するグループ情報毎に表示するグループ別番組一覧作成の指示を入力し、
上記番組情報解析部は、上記操作部より上記グループ別番組一覧作成の指示が入力されると、上記番組情報格納部に記憶されている番組情報に対応して記憶されている送信元情報の所属するグループ情報を上記送信者情報格納部より取得し、取得したグループ情報と上記番組情報格納部に記憶されている番組情報とを用いて上記グループ別番組一覧を作成し、
上記表示部は、上記番組情報解析部により作成された上記グループ別番組一覧を表示する
ことを特徴とする請求項６記載の情報端末装置。
【請求項８】
上記番組情報は、少なくとも放送予定日と放送チャンネルと放送時間帯とを示す情報を有し、
上記情報端末装置は、上記操作部により予約を指示された番組情報を記憶する番組情報格納部と、
上記番組情報格納部に記憶された番組情報から番組情報の有する上記放送予定日と上記放送時間帯とが到来している番組情報を選択して、選択した番組情報の上記放送時間帯に上記放送チャンネルから放送されている放送情報の受信を上記受信部に対して指示する番組情報解析部と
を備え、
上記受信部は、上記番組情報解析部により放送情報の受信を指示されると、上記番組情報に従い放送情報を受信し、
上記表示部は、上記受信部により受信された放送情報を表示する
ことを特徴とする請求項１記載の情報端末装置。
【請求項９】
上記番組情報は、少なくとも放送予定日と放送チャンネルと放送時間帯とを示す情報を有し、
上記情報端末装置は、
所定の放送時間帯に所定の放送チャンネルから放送されている放送情報を受信する受信部と、
上記番組情報格納部に記憶された番組情報から番組情報の有する上記放送予定日と上記放送時間帯とが到来している番組情報を選択して、選択した番組情報の上記放送時間帯に上記放送チャンネルから放送されている放送情報の受信を上記受信部に対して指示する番組情報解析部と
を備え、
上記表示部は、上記受信部により受信された放送情報を表示する
ことを特徴とする請求項２記載の情報端末装置。
【請求項１０】
上記表示部は、上記放送情報を表示すると同時に所定のメッセージを表示することを特徴とする請求項８、または、９記載の情報端末装置。
【手続補正３】
【補正対象書類名】明細書
【補正対象項目名】０００１
【補正方法】変更
【補正の内容】
【０００１】
【発明の属する技術分野】
この発明は、情報端末装置が、情報端末装置により受信可能な情報量の放送情報、例えば地上波ディジタルテレビジョン（以下、「テレビジョン」を「ＴＶ」と称する）放送の番組情報や放送情報を受信して、受信した番組情報を情報端末装置間で交換することに関する。特に、離れた場所にいる家族や友人などのグループ間で同じＴＶ番組を簡単に視聴することができるディジタル放送受信機能付情報端末装置の情報交換に関するものである。
【手続補正４】
【補正対象書類名】明細書
【補正対象項目名】０００９
【補正方法】変更
【補正の内容】
【０００９】
この発明は上記のような問題点を解消するためになされたもので、情報端末装置、例えば携帯電話機により受信可能な情報量の放送情報及び番組情報、例えば地上波ディジタルＴＶ放送からの放送情報及び番組情報を受信する機能を情報端末装置に備える。これによって、地上波ディジタルＴＶ放送から番組情報を入手可能であるとともに、屋外のモバイル環境で直接放送情報を受信してＴＶ放送を視聴することを可能にすることと、多量の番組情報から視聴したい番組を簡単かつ確実に選択することとを可能にする、情報端末装置を提供することを目的とする。
【手続補正５】
【補正対象書類名】明細書
【補正対象項目名】００１１
【補正方法】変更
【補正の内容】
【００１１】
この発明に係る情報端末装置は、送信者からのメッセージ情報を含む電子メールを受信する受信部と、上記受信部により受信された上記電子メールの上記メッセージ情報に１つ以上の番組情報が含まれているか含まれていないかを解析する電子メール解析部と、上記電子メール解析部により上記１つ以上の番組情報が含まれていると解析された場合に上記１つ以上の番組情報を記憶する番組情報格納部とを備えることを特徴とする。
また、この発明に係る情報端末装置は、上記電子メール解析部により上記１つ以上の番組情報が含まれていると解析された場合に上記１つ以上の番組情報から所定の番組情報の予約を指示できるように表示する表示部と、上記表示部により表示された上記１つ以上の番組情報から予約する番組情報を指示する操作部とを備え、上記番組情報格納部は上記操作部により予約を指示された番組情報を記憶することを特徴とする。
【手続補正６】
【補正対象書類名】明細書
【補正対象項目名】００１３
【補正方法】変更
【補正の内容】
【００１３】
また、この発明に係る情報端末装置は、上記送信者情報格納部は、上記操作部からの予約の指示なしに所定の番組情報を記憶するかしないかのいずれか一方を設定する自動予約設定情報を上記送信者情報に対応させて記憶し、上記電子メール解析部は、上記メッセージ情報に上記１つ以上の番組情報が含まれているとともに、上記電子メールの送信元情報が上記送信者情報格納部に記憶されている送信者情報と一致する場合は、上記送信者情報に対応する上記自動予約設定情報の内容に従い、上記１つ以上の番組情報を上記番組情報格納部に記憶させることと上記１つ以上の番組情報から所定の番組情報の予約を指示できるように上記表示部に表示させることとのいずれか一方を行うことを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００５８
【補正方法】削除
【補正の内容】
【手続補正１０】
【補正対象書類名】明細書
【補正対象項目名】００５９
【補正方法】削除
【補正の内容】